(57)【要約】【課題】衝撃や風等によって各ピースがばらばらになるのを防止できる連結式シート材パズル及び連結式シート材を提供する。【解決手段】複数のピース２を着脱自在に連結した連結式シート材３で構成された連結式シート材パズル１であって、ピース２が、ピース本体５における対向する２つの角部をそれぞれ平面視が二等辺三角形状のアンカー部６とし、一側の辺の中点同士を結ぶ線上の中央部、及び、他側の辺の中点同士を結ぶ線上の中央部にそれぞれ切れ目７を対向するように入れたものであり、連結式シート材３が、アンカー部６を表面側から裏面側に向かって切れ目７に挿通して掛止することにより、複数のピース２を着脱自在に連結したものであり、連結式シート材３の表面側に少なくとも１つの図柄４を表した。【選択図】図１
2014213066.tif 000002
【特許請求の範囲】
【請求項１】
複数のピースを着脱自在に連結した連結式シート材で構成された連結式シート材パズルであって、
前記ピースが、
平面視が正方形状のシート状に形成されかつ柔軟性を有するピース本体における隣接する２つの辺の中点からそれぞれ切り込みを同一線上に入れ、前記ピース本体における残り２つの辺の中点からそれぞれ切り込みを同一線上に入れることにより、前記ピース本体における対向する２つの角部をそれぞれ平面視が二等辺三角形状のアンカー部とし、
前記隣接する２つの辺のうちの一側の辺の中点と前記残り２つの辺のうちの一側の辺の中点を結ぶ線上の中央部、及び、前記隣接する２つの辺のうちの他側の辺の中点と前記残り２つの辺のうちの他側の辺の中点を結ぶ線上の中央部にそれぞれ切れ目を対向するように入れたものであり、
前記連結式シート材が、前記アンカー部を表面側から裏面側に向かって前記切れ目に挿通して掛止することにより、複数の前記ピースを着脱自在に連結したものであり、
前記連結式シート材の表面側に少なくとも１つの図柄を表したことを特徴とする連結式シート材パズル。
【請求項２】
前記連結式シート材が、色彩が異なる複数種の前記ピースを着脱自在に連結したものである請求項１に記載の連結式シート材パズル。
【請求項３】
前記連結式シート材の表面側に少なくとも１つの図柄を印刷した請求項１又は２に記載の連結式シート材パズル。
【請求項４】
前記アンカー部の基部の幅を前記切れ目の長さより大きくした請求項１から３のいずれかに記載の連結式シート材パズル。
【請求項５】
前記ピースがフェルトで構成された請求項１から４のいずれかに記載の連結式シート材パズル。
【請求項６】
シート状に形成されかつ柔軟性を有するユニット本体の縁部に複数の突出部を設け、
一部の前記突出部の左右２つの基端からそれぞれ切り込みを同一線上に入れることにより、一部の前記突出部をアンカー部とし、
残りの前記突出部の左右２つの基端を結ぶ線上の中央部に切れ目を入れた少なくとも１つのシート材ユニット、及び、
請求項１から５のいずれかに記載の連結式シート材パズルを、
前記アンカー部を前記切れ目に挿通して掛止することにより、着脱自在に連結したことを特徴とする連結式シート材。
【請求項７】
前記シート材ユニットにおける前記アンカー部と前記切れ目を交互に設けた請求項６に記載の連結式シート材。
【請求項８】
前記シート材ユニットにおける前記アンカー部の基部の幅を前記切れ目の長さより大きくした請求項６又は７に記載の連結式シート材。
【請求項９】
前記シート材ユニットがフェルトで構成された請求項６から８のいずれかに記載の連結式シート材。
【請求項１０】
シート状に形成されかつ柔軟性を有するユニット本体の縁部に複数の突出部を設け、
一部の前記突出部の左右２つの基端からそれぞれ切り込みを同一線上に入れることにより、一部の前記突出部をアンカー部とし、
残りの前記突出部の左右２つの基端を結ぶ線上の中央部に切れ目を入れたことを特徴とするシート材ユニット。
【請求項１１】
前記アンカー部と前記切れ目を交互に設けた請求項１０に記載のシート材ユニット。
【請求項１２】
前記アンカー部の基部の幅を前記切れ目の長さより大きくした請求項１０又は１１に記載のシート材ユニット。
【請求項１３】
フェルトで構成された請求項１０から１２のいずれかに記載のシート材ユニット。
【請求項１４】
請求項１０から１３のいずれかに記載のシート材ユニットの複数個を、前記アンカー部を前記切れ目に挿通して掛止することにより、着脱自在に連結したことを特徴とする連結式シート材。
【発明の詳細な説明】
【技術分野】
【０００１】
本発明は、複数のピースを着脱自在に連結することにより図柄を完成させて遊ぶための連結式シート材パズル、連結式シート材パズル及び少なくとも１つのシート材ユニットを着脱自在に連結した連結式シート材、複数のシート材ユニットを着脱自在に連結した連結式シート材、並びに、連結式シート材に使用されるシート材ユニットに関するものである。
【背景技術】
【０００２】
従来のこの種の技術としては、表面に図柄が印刷された厚紙等を分割したピース同士における凹部と凸部を嵌合することにより、図柄を完成させて遊ぶためのジグソーパズル等が知られている（例えば、特許文献１参照。）。
【０００３】
また、主形状部とその周縁部に一体に連なる複数の副形状部からなり、前記主形状部と前記副形状部の双方又はいずれか一方に１あるいは複数の開口部が形成され、フェルトからなるシート状物の構成部材であって、前記副形状部の先端部が、同形状である他の前記構成部材の主形状部又は副形状部の開口部に挿入された時に抜けることのない形状とされているシート状物の構成部材等が知られている（例えば、特許文献２参照。）。
【先行技術文献】
【特許文献】
【０００４】
【特許文献１】登録実用新案第３０２７９９１号公報（図１、図３、段落〔０００２〕、段落〔０００３〕、等）
【特許文献２】特開２００８−１２５７４３号公報（図３、図４、補正後の請求項１等）
【発明の開示】
【発明が解決しようとする課題】
【０００５】
しかしながら、上記のような従来のジグソーパズルにおいては、ピース同士における凹部と凸部を嵌合するだけであるので、衝撃や風等によって各ピースがばらばらになり易いという問題点がある。
【０００６】
また、上記のような従来のシート状物の構成部材においては、複数の構成部材を着脱自在に連結してシート状物を組み立てるので、大きいシート状物を組み立てる場合には、より多くの構成部材を必要とし、コスト高になるという問題点がある。
【０００７】
本発明は、以上のような事情や問題点に鑑みてなされたものであり、衝撃や風等によって各ピースがばらばらになるのを防止できる連結式シート材パズル及び連結式シート材を提供することを第１の目的とする。
【０００８】
また、本発明は、コストダウンを図ることができるシート材ユニット及び連結式シート材を提供することを第２の目的とする。
【課題を解決するための手段】
【０００９】
連結式シート材パズルに関する第１〜第５の発明うち、第１の発明は、複数のピースを着脱自在に連結した連結式シート材で構成された連結式シート材パズルであって、前記ピースが、平面視が正方形状のシート状に形成されかつ柔軟性を有するピース本体における隣接する２つの辺の中点からそれぞれ切り込みを同一線上に入れ、前記ピース本体における残り２つの辺の中点からそれぞれ切り込みを同一線上に入れることにより、前記ピース本体における対向する２つの角部をそれぞれ平面視が二等辺三角形状のアンカー部とし、前記隣接する２つの辺のうちの一側の辺の中点と前記残り２つの辺のうちの一側の辺の中点を結ぶ線上の中央部、及び、前記隣接する２つの辺のうちの他側の辺の中点と前記残り２つの辺のうちの他側の辺の中点を結ぶ線上の中央部にそれぞれ切れ目を対向するように入れたものであり、前記連結式シート材が、前記アンカー部を表面側から裏面側に向かって前記切れ目に挿通して掛止することにより、複数の前記ピースを着脱自在に連結したものであり、前記連結式シート材の表面側に少なくとも１つの図柄を表したものである。
【００１０】
第２の発明においては、前記連結式シート材が、色彩が異なる複数種の前記ピースを着脱自在に連結したものである。
【００１１】
第３の発明は、前記連結式シート材の表面側に少なくとも１つの図柄を印刷したものである。
【００１２】
第４の発明は、前記アンカー部の基部の幅を前記切れ目の長さより大きくしたものである。
【００１３】
第５の発明は、前記ピースがフェルトで構成されたものである。
【００１４】
また、連結式シート材に関する第６〜第９の発明のうち、第６の発明は、シート状に形成されかつ柔軟性を有するユニット本体の縁部に複数の突出部を設け、一部の前記突出部の左右２つの基端からそれぞれ切り込みを同一線上に入れることにより、一部の前記突出部をアンカー部とし、残りの前記突出部の左右２つの基端を結ぶ線上の中央部に切れ目を入れた少なくとも１つのシート材ユニット、及び、第１から第５のいずれかの発明の連結式シート材パズルを、前記アンカー部を前記切れ目に挿通して掛止することにより、着脱自在に連結したものである。
【００１５】
第７の発明は、前記シート材ユニットにおける前記アンカー部と前記切れ目を交互に設けたものである。
【００１６】
第８の発明は、前記シート材ユニットにおける前記アンカー部の基部の幅を前記切れ目の長さより大きくしたものである。
【００１７】
第９の発明は、前記シート材ユニットがフェルトで構成されたものである。
【００１８】
更に、シート材ユニットに関する第１０〜第１３の発明のうち、第１０の発明は、シート状に形成されかつ柔軟性を有するユニット本体の縁部に複数の突出部を設け、一部の前記突出部の左右２つの基端からそれぞれ切り込みを同一線上に入れることにより、一部の前記突出部をアンカー部とし、残りの前記突出部の左右２つの基端を結ぶ線上の中央部に切れ目を入れたものである。
【００１９】
第１１の発明は、前記アンカー部と前記切れ目を交互に設けたものである。
【００２０】
第１２の発明は、前記アンカー部の基部の幅を前記切れ目の長さより大きくしたものである。
【００２１】
第１３の発明は、フェルトで構成されたものである。
【００２２】
加えて、連結式シート材に関する第１４の発明は、第１０から第１３のいずれかの発明のシート材ユニットの複数個を、前記アンカー部を前記切れ目に挿通して掛止することにより、着脱自在に連結したものである。
【発明の効果】
【００２３】
第１の発明によれば、アンカー部を表面側から裏面側に向かって切れ目に挿通して掛止することにより、複数のピースを着脱自在に連結した連結式シート材で構成されているので、衝撃や風等によって各ピースがばらばらになるのを防止することができる。
【００２４】
第２の発明によれば、連結式シート材が、色彩が異なる複数種のピースを着脱自在に連結したものであるので、複数種のピースの連結の仕方に応じて図柄を自由に変更することができる。
【００２５】
第３の発明によれば、連結式シート材の表面側に少なくとも１つの図柄を印刷しているので、種々の図柄を表すことができ、特に従来のジグソーパズルと同様の写真や絵等を表すのに好適である。
【００２６】
第４の発明によれば、アンカー部の基部の幅を切れ目の長さより大きくしているので、アンカー部を切れ目に対してより緊密に掛止することができる。
【００２７】
第５の発明によれば、ピースがフェルトで構成されているので、軽量で弾力性に優れると共に、切断面からもほつれにくい。
【００２８】
第６の発明によれば、連結式シート材パズルが含まれているので、衝撃や風等によって各ピースがばらばらになるのを防止することができる。また、連結式シート材パズル及び少数のシート材ユニットを連結して連結式シート材を組み立てることができるので、コストダウンを図ることができる。
【００２９】
第７の発明によれば、シート材ユニットにおけるアンカー部と切れ目を交互に設けているので、シート材ユニット同士を連結しやすい。
【００３０】
第８の発明によれば、シート材ユニットにおけるアンカー部の基部の幅を切れ目の長さより大きくしているので、アンカー部を切れ目に対してより緊密に掛止することができる。
【００３１】
第９の発明によれば、シート材ユニットがフェルトで構成されているので、軽量で弾力性に優れると共に、切断面からもほつれにくい。
【００３２】
第１０及び第１４の発明によれば、少数のシート材ユニットを連結して連結式シート材を組み立てることができるので、コストダウンを図ることができる。
【００３３】
第１１の発明によれば、アンカー部と切れ目を交互に設けているので、連結しやすい。
【００３４】
第１２の発明によれば、アンカー部の基部の幅を切れ目の長さより大きくしているので、アンカー部を切れ目に対してより緊密に掛止することができる。
【００３５】
第１３の発明によれば、フェルトで構成されているので、軽量で弾力性に優れると共に、切断面からもほつれにくい。
【図面の簡単な説明】
【００３６】
【図１】第１実施形態の連結式シート材パズルの平面図である。
【図２】ピースの平面図である。
【図３】ピースの左側面図である。
【図４】複数のピースを連結する様子を示す平面図である。
【図５】複数のピースを連結した後の状態を示す要部拡大平面図である。
【図６】図５のＡ−Ａ線端面図である。
【図７】図柄の一部付近の要部拡大平面図である。
【図８】第２実施形態の連結式シート材パズルの平面図である。
【図９】第３実施形態のシート材ユニットの平面図である。
【図１０】シート材ユニットのアンカー部及び切れ目付近の要部拡大平面図である。
【図１１】第４実施形態の連結式シート材の平面図である。
【図１２】２つのシート材ユニットを連結する様子を示す平面図である。
【図１３】第５実施形態の連結式シート材の平面図である。
【図１４】連結式シート材パズル及びシート材ユニットを連結する様子を示す平面図である。
【発明を実施するための形態】
【００３７】
第１実施形態の連結式シート材パズル１は、図１〜図７に示すように、複数のピース２を着脱自在に連結した連結式シート材３で構成され、連結式シート材３の表面側に６つの図柄４を表したものである。
【００３８】
ピース２は、図２及び図３に示すように、ピース本体５に２つのアンカー部６及び２つの切れ目７を設けたものである。
【００３９】
ピース本体５は、平面視が正方形状のシート状に形成され、柔軟性を有している。ピース本体５の１辺の長さとしては数十ｍｍ、厚さとしては数ｍｍが適当であるが、必要に応じて適宜変更可能である。ピース本体５の平面視形状は、正方形の他、丸みを帯びた正方形等でもよい。
【００４０】
ピース本体５の材質としては、フェルト、不織布、織物、編物、天然皮革（レザー）、合成皮革、軟質プラスチック、ゴム、熱可塑性エラストマー等が挙げられる。フェルトとしては、織フェルト、圧縮フェルト等が挙げられる。織物としては、圧縮ウール、メルトン、フラノ、カシミア、アンゴラ、アルパカ混ウール等が挙げられる。編物としては、圧縮ニット等が挙げられる。
【００４１】
また、ピース本体５は、単層シートで構成されていてもよいし、複数層からなる積層シートや、基材シートの片面又は両面に強化用シートを貼り付けた積層シート等で構成されていてもよい。基材シートとしては、薄手の生地、ほつれるおそれがある生地、破れるおそれがある生地（古布等のいわゆる弱った生地）等が挙げられる。強化用シートとしては、接着芯（接着芯地）等が挙げられる。
【００４２】
ピース本体５においては、隣接する２つの辺の中点からそれぞれ切り込み８を同一線上に入れ、残り２つの辺の中点からそれぞれ切り込み８を同一線上に入れることにより、対向する２つの角部が、それぞれ平面視が二等辺三角形状のアンカー部６とされている。そして、前記隣接する２つの辺のうちの一側の辺の中点と前記残り２つの辺のうちの一側の辺の中点を結ぶ線上の中央部、及び、前記隣接する２つの辺のうちの他側の辺の中点と前記残り２つの辺のうちの他側の辺の中点を結ぶ線上の中央部には、それぞれ切れ目７が対向するように入れられている。
【００４３】
連結式シート材３は、図４〜図６に示すように、アンカー部６を表面側から裏面側に向かって切れ目７に挿通して掛止することにより、複数のピース２を着脱自在に連結したものである。なお、アンカー部６を切れ目７から外すことにより、ピース２を取り外していけば、連結式シート材３を分解することができる。また、本実施形態では、１６行×１６列の合計２５６個のピース２を着脱自在に連結して平面視が正方形状の連結式シート材パズル１を組み立てているが、これに限定されるものではなく、ピース２の数や連結式シート材パズル１の形状は必要に応じて適宜変更可能である。
【００４４】
連結式シート材３の表面側には、図１及び図７に示すように、色彩が異なる２種のピース２を着脱自在に連結することにより、６つの図柄４として「Ｐ」、「Ｕ」、「Ｚ」、「Ｚ」、「Ｌ」、「Ｅ」の６つの文字が表されている。
【００４５】
色彩が異なるピース２の種類は、２種に限定されるものではなく、３種以上でもよい。文字は、「Ｐ」、「Ｕ」、「Ｚ」、「Ｌ」、「Ｅ」以外の英字、数字、漢字、平仮名、片仮名等でもよい。色彩が異なる複数種のピース２により表される図柄４は、文字の他、記号、模様、絵等でもよい。図柄４の数は、６つに限定されるものではなく、５つ以下や７つ以上でもよい。
【００４６】
以上のように構成された連結式シート材パズル１によれば、アンカー部６を表面側から裏面側に向かって切れ目７に挿通して掛止することにより、複数のピース２を着脱自在に連結した連結式シート材３で構成されているので、衝撃や風等によって各ピース２がばらばらになるのを防止できるという利点がある。
【００４７】
また、連結式シート材３が、色彩が異なる複数種のピース２を着脱自在に連結したものであれば、複数種のピース２の連結の仕方に応じて図柄４を自由に変更できるという利点がある。更に、アンカー部６の基部の幅を切れ目７の長さより大きくしておけば、アンカー部６を切れ目７に対してより緊密に掛止できるという利点がある。加えて、ピース２がフェルトで構成されていれば、軽量で弾力性に優れると共に、切断面からもほつれにくいという利点がある。
【００４８】
第２実施形態の連結式シート材パズル２１は、図８に示すように、第１実施形態において、同じ色彩の複数のピース２が着脱自在に連結された連結式シート材２３の表面側に１つの図柄２４を印刷したものである。
【００４９】
印刷される図柄２４としては、写真、絵、模様、文字、記号等が挙げられる。図柄２４の数は、１つに限定されるものではなく、２つ以上でもよい。
【００５０】
このように、連結式シート材３の表面側に少なくとも１つの図柄２４を印刷しておけば、種々の図柄２４を表すことができ、特に従来のジグソーパズルと同様の写真や絵等を表すのに好適であるという利点がある。
【００５１】
第３実施形態のシート材ユニット３２は、図９及び図１０に示すように、ユニット本体３５の縁部に複数の突出部３５ａを設け、一部の突出部３５ａの左右２つの基端からそれぞれ切り込み８を同一線上に入れることにより、一部の突出部３５ａをアンカー部６とし、残りの突出部３５ａの左右２つの基端を結ぶ線上の中央部に切れ目７を入れたものである。
【００５２】
ユニット本体３５は、平面視が長方形状のシート状に形成され、柔軟性を有している。ユニット本体３５の平面視形状は、長方形状の他、正方形状、三角形状、多角形状、円状、半円状、扇状、楕円状等でもよい。ユニット本体３５のサイズとしては数百ｍｍ、厚さとしては数ｍｍが適当であるが、必要に応じて適宜変更可能である。
【００５３】
ユニット本体３５は、既述のピース本体５と同様の材質で構成することができる。ここで、シート材ユニット３２がフェルトで構成されていれば、軽量で弾力性に優れると共に、切断面からもほつれにくいという利点がある。
【００５４】
ユニット本体３５の縁部には、平面視が二等辺三角形状の複数の突出部３５ａが設けられている。突出部３５ａの平面視形状は、二等辺三角形状の他、台形状、四角形状、多角形状、半円状等でもよい。また、本実施形態では、縦８個×２、横１６個×２の合計４８個の突出部３５ａをユニット本体３５の縁部に設けているが、これに限定されるものではなく、突出部３５ａの数は必要に応じて適宜変更可能である。
【００５５】
シート材ユニット３２同士におけるアンカー部６を切れ目７に挿通して掛止すれば、複数のシート材ユニット３２を着脱自在に連結して連結式シート材を組み立てることができる。
【００５６】
以上のように構成されたシート材ユニット３２によれば、少数のシート材ユニット３２を連結して連結式シート材を組み立てることができるので、コストダウンを図ることができるという利点がある。
【００５７】
ここで、シート材ユニット３２におけるアンカー部６と切れ目７を交互に設けておけば、シート材ユニット３２同士を連結しやすいという利点がある。また、シート材ユニット３２におけるアンカー部６の基部の幅を切れ目７の長さより大きくしておけば、アンカー部６を切れ目７に対してより緊密に掛止できるという利点がある。更に、シート材ユニット３２がフェルトで構成されていれば、軽量で弾力性に優れると共に、切断面からもほつれにくいという利点がある。
【００５８】
第４実施形態の連結式シート材４３は、図１１及び図１２に示すように、第３実施形態の２つのシート材ユニット３２を、アンカー部６を表面側から裏面側に向かって切れ目７に挿通して掛止することにより、着脱自在に連結したものである。
【００５９】
アンカー部６は、裏面側から表面側に向かって切れ目７に挿通して掛止してもよい。連結式シート材４３を構成するシート材ユニット３２の数は、２つに限定されるものではなく、３つ以上でもよい。
【００６０】
以上のように構成された連結式シート材４３によれば、少数のシート材ユニット３２を連結して組み立てることができるので、コストダウンを図ることができるという利点がある。
【００６１】
第５実施形態の連結式シート材５３は、図１３及び図１４に示すように、第３実施形態の６つのシート材ユニット３２及び第１実施形態の連結式シート材パズル１を、アンカー部６を表面側から裏面側に向かって切れ目７に挿通して掛止することにより、着脱自在に連結したものである。
【００６２】
シート材ユニット３２及び連結式シート材パズル１を連結する際や、シート材ユニット３２同士を連結する際には、アンカー部６を裏面側から表面側に向かって切れ目７に挿通して掛止してもよい。連結式シート材パズル１に連結されるシート材ユニット３２の数は、６つに限定されるものではなく、５つ以下や７つ以上でもよい。また、シート材ユニット３２を、連結式シート材パズル１に連結されたシート材ユニット３２や、シート材ユニット３２に連結されたシート材ユニット３２に連結してもよい。
【００６３】
以上のように構成された連結式シート材５３によれば、連結式シート材パズル１が含まれているので、第１実施形態と同様の利点がある。また、連結式シート材パズル１及び少数のシート材ユニット３２を連結して連結式シート材５３を組み立てることができるので、コストダウンを図ることができるという利点がある。
【産業上の利用可能性】
【００６４】
以上のように、本発明の連結式シート材パズルや、連結式シート材パズル及び少なくとも１つのシート材ユニットを着脱自在に連結した連結式シート材は、それぞれ衝撃や風等によって各ピースがばらばらになるのを防止できるパズルやシート材として有用である。
【００６５】
また、本発明のシート材ユニットや、複数のシート材ユニットを着脱自在に連結した連結式シート材は、それぞれコストダウンを図ることができる構成部材やシート材として有用である。
【符号の説明】
【００６６】
１  連結式シート材パズル
２  ピース
３  連結式シート材
４  図柄
５  ピース本体
６  アンカー部
７  切れ目
８  切り込み
２１  連結式シート材パズル
２３  連結式シート材
２４  図柄
３２  シート材ユニット
３５  ユニット本体
３５ａ  突出部
４３  連結式シート材
５３  連結式シート材
【図１】
2014213066.tif 000003
【図２】
2014213066.tif 000004
【図３】
2014213066.tif 000005
【図４】
2014213066.tif 000006
【図５】
2014213066.tif 000007
【図６】
2014213066.tif 000008
【図７】
2014213066.tif 000009
【図８】
2014213066.tif 000010
【図９】
2014213066.tif 000011
【図１０】
2014213066.tif 000012
【図１１】
2014213066.tif 000013
【図１２】
2014213066.tif 000014
【図１３】
2014213066.tif 000015
【図１４】
2014213066.tif 000016